【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
画像形成装置と、
前記画像形成装置のステータス情報を管理する管理サーバと
を含むシステムであって、
前記管理サーバは、
前記画像形成装置のステータス情報を取得して、管理する手段と、
Ｗｅｂサービスを提供するサービスサーバに、前記画像形成装置のステータス情報を提供する提供手段と、
前記サービスサーバと通信する通信手段と
を有し、
前記画像形成装置は、
前記管理サーバに自身のステータス情報を送信する送信手段と、
前記サービスサーバが提供する前記Ｗｅｂサービスに、デバイス情報の登録を要求する要求手段と、
前記サービスサーバと通信する通信手段と
を有し、
前記Ｗｅｂサービスのユーザのユーザ情報が前記サービスサーバにより管理され、
前記画像形成装置からの要求に応じて、当該画像形成装置のデバイス情報と、前記ユーザ情報とが前記サービスサーバにより関連づけて管理され、
前記管理サーバから提供されたステータス情報を用いて、前記Ｗｅｂサービスに登録されている画像形成装置のユーザに対し、当該画像形成装置に関する通知が前記サービスサーバより行われることを特徴とするシステム。
【請求項２】
前記ステータス情報に基づいて予測された、画像形成装置が備える消耗品の消耗の度合いに応じて、当該画像形成装置のユーザに対し、消耗品の販売に関する情報が前記サービスサーバにより通知されることを特徴とする請求項１に記載のシステム。
【請求項３】
前記管理サーバは、画像形成装置のステータス情報を用いて、当該画像形成装置が備える消耗品の交換時期を予測する予測手段を更に備えることを特徴とする請求項１または２に記載のシステム。
【請求項４】
前記管理サーバから取得したステータス情報に基づいて、交換すべき消耗品であって、当該画像形成装置に対応する製品が前記サービスサーバにより特定されることを特徴とする請求項１乃至３のいずれか一項に記載のシステム。
【請求項５】
前記画像形成装置の前記要求手段は、一意に識別するための識別情報を含めてデバイス情報の登録を要求し、
前記識別情報を用いて前記画像形成装置を登録するための専用の認証画面にアクセスするためのアクセス情報が前記サービスサーバから前記画像形成装置に送信され、
前記アクセス情報を用いてアクセスされた前記専用の認証画面に、前記管理されているユーザ情報が入力されて、認証が成功したことに応じて、当該ユーザ情報と前記画像形成装置のデバイス情報とを関連づけて登録されることを特徴とする請求項１乃至４のいずれか一項に記載のシステム。
【請求項６】
前記識別情報は、画像形成装置に割り当てられたシリアル番号であることを特徴とする請求項５に記載のシステム。
【請求項７】
前記画像形成装置の前記送信手段は、前記デバイス情報を登録したサービスサーバを一意に識別するための識別情報を前記ステータス情報に含めて送信し、
前記管理サーバの前記提供手段は、前記ステータス情報に含まれるサービスサーバを識別するための識別情報に基づいて、当該ステータス情報を提供するサービスサーバを特定することを特徴とする請求項１乃至６のいずれか一項に記載のシステム。
【請求項８】
画像形成装置と、
前記画像形成装置のステータス情報を管理する管理サーバと
を含むシステムの制御方法であって、
前記管理サーバにおいて、
前記画像形成装置のステータス情報を取得して、管理する工程と、
Ｗｅｂサービスを提供するサービスサーバに、前記画像形成装置のステータス情報を提供する提供工程と、
前記サービスサーバと通信する通信工程と
を有し、
前記画像形成装置において、
前記管理サーバに自身のステータス情報を送信する送信工程と、
前記サービスサーバが提供する前記Ｗｅｂサービスに、自身のデバイス情報の登録を要求する要求工程と、
前記サービスサーバと通信する通信工程と
を有し、
前記Ｗｅｂサービスのユーザのユーザ情報が前記サービスサーバにより管理され、
前記画像形成装置からの要求に応じて、当該画像形成装置のデバイス情報と、前記ユーザ情報を関連づけて管理され、
前記管理サーバから提供されたステータス情報を用いて、前記Ｗｅｂサービスに登録されている画像形成装置のユーザに対し、当該画像形成装置に関する通知が前記サービスサーバにより行われることを特徴とするシステムの制御方法。
【請求項９】
前記ステータス情報に基づいて予測された、画像形成装置が備える消耗品の消耗の度合いに応じて、当該画像形成装置のユーザに対し、消耗品の販売に関する情報が前記サービスサーバにより通知されることを特徴とする請求項８に記載のシステムの制御方法。
【請求項１０】
前記管理サーバにおいて、画像形成装置のステータス情報を用いて、当該画像形成装置が備える消耗品の交換時期を予測する予測工程を更に有することを特徴とする請求項８または９に記載のシステムの制御方法。
【請求項１１】
前記管理サーバから取得したステータス情報に基づいて、交換すべき消耗品であって、当該画像形成装置に対応する製品が前記サービスサーバにより特定されることを特徴とする請求項８乃至１０のいずれか一項に記載のシステムの制御方法。
【請求項１２】
前記画像形成装置における前記要求工程は、一意に識別するための識別情報を含めてデバイス情報の登録を要求し、
前記識別情報を用いて前記画像形成装置を登録するための専用の認証画面にアクセスするためのアクセス情報が前記サービスサーバから前記画像形成装置に送信され、
前記アクセス情報を用いてアクセスされた前記専用の認証画面に、前記管理されているユーザ情報が入力されて、認証が成功したことに応じて、当該ユーザ情報と前記画像形成装置のデバイス情報とを関連づけて登録されることを特徴とする請求項８乃至１１のいずれか一項に記載のシステムの制御方法。
【請求項１３】
前記識別情報は、画像形成装置に割り当てられたシリアル番号であることを特徴とする請求項１２に記載のシステムの制御方法。
【請求項１４】
前記画像形成装置における前記送信工程は、前記デバイス情報を登録したサービスサーバを一意に識別するための識別情報を前記ステータス情報に含めて送信し、
前記管理サーバにおける前記提供工程は、前記ステータス情報に含まれるサービスサーバを識別するための識別情報に基づいて、当該ステータス情報を提供するサービスサーバを特定することを特徴とする請求項８乃至１３のいずれか一項に記載のシステムの制御方法。
【手続補正２】
【補正対象書類名】明細書
【補正対象項目名】０００５
【補正方法】変更
【補正の内容】
【０００５】
上記課題を解決するために本願発明は以下の構成を有する。すなわち、
画像形成装置と、
前記画像形成装置のステータス情報を管理する管理サーバと
を含むシステムであって、
前記管理サーバは、
前記画像形成装置のステータス情報を取得して、管理する手段と、
Ｗｅｂサービスを提供するサービスサーバに、前記画像形成装置のステータス情報を提供する提供手段と、
前記サービスサーバと通信する通信手段と
を有し、
前記画像形成装置は、
前記管理サーバに自身のステータス情報を送信する送信手段と、
前記サービスサーバが提供する前記Ｗｅｂサービスに、デバイス情報の登録を要求する要求手段と、
前記サービスサーバと通信する通信手段と
を有し、
前記Ｗｅｂサービスのユーザのユーザ情報が前記サービスサーバにより管理され、
前記画像形成装置からの要求に応じて、当該画像形成装置のデバイス情報と、前記ユーザ情報とが前記サービスサーバにより関連づけて管理され、
前記管理サーバから提供されたステータス情報を用いて、前記Ｗｅｂサービスに登録されている画像形成装置のユーザに対し、当該画像形成装置に関する通知が前記サービスサーバより行われる。